(57)【特許請求の範囲】
【請求項１】
閉鎖ループ状経路に沿って走行し、かつ輸送すべき品物（６）の大きさに従って自動的に調整される各々一対の壁（２０、２２）からなる輸送用収容区画（２）を具備した、収容区画付コンベヤ（１）であって、
固定壁である第１の壁（２０）と可動壁である第２の壁（２２）を含み、該第２の壁（２２）は、第１の壁に対して固定されている第１の状態と、解放され前記第１の静止壁（２０）との関係において可動である第２の状態と、の２つの異なる状態のうちのいずれか一方をとることのできる前記各輸送用収容区画（２）用の輸送手段；
前記収容区画（２）が前記閉鎖ループ状経路の第１の区間を走行している間、該収容区画の前記第２の壁（２２）を解放し、前記収容区画が前記閉鎖ループ状経路の第２の区間を走行している間、前記第２の壁（２２）を自由な状態に保ち、次に前記収容区画が前記閉鎖ループ状経路の第３の区間に達したとき、以前に解放されていた第２の壁（２２）を固定する、前記閉鎖ループ状経路の所定位置に組み込まれた第１のカム（５９，６０）と、前記輸送手段に組み込まれ且つ前記第１のカムに協同する第１のカム・フォロアとを含む作動手段；
前記第２の壁（２２）が前記閉鎖ループ状経路の第２の区間を走行する際、該第２の壁を前記第１の壁から予め設定された距離のところに設置するべく、前記第２の壁（２２）を前記第１の静止壁（２０）に対して接近する方向又は離れる方向に滑り移動させると共に、前記第２の壁（２２）を前記第１の静止壁（２０）に関して固定する、前記閉鎖ループ状経路の第２の区間に組み込まれた第２のカム（４７，４８）と、前記輸送手段に組み込まれた且つ前記第２のカムと協同する第２のカム・フォロア（２８，３２）とを含む、案内・固定手段；
を含むことを特徴とする収容区画付コンベヤ。
【発明の詳細な説明】
【０００１】
【産業上の利用分野】
本発明は、輸送すべき品物の大きさに従って収容区画を自動的に調整する収容区画付コンベヤに関する。この収容区画付コンベヤは、閉鎖ループ状経路に沿って走行し、収容区画の寸法を決定する１対の壁を具備する搬送用の収容区画を具備している。
【０００２】
【従来の技術】
従来、収容室に品物を挿入する自動包装機は、一般に、並べて配置された３つの閉鎖ループ状コンベヤを具備し、これらのコンベヤの上部搬送路が実質的に同一平面上にある状態とされる。
【０００３】
第１のコンベヤは一般に、あらかじめ形成された直立した収容室をその上に設置するための停止用手段を具備し、この直立収容室はその少なくとも１つの開放した側面が第２のコンベヤの側に面している。
【０００４】
この第２のコンベヤには一般に、等間隔に配置されかつ第１のコンベヤにより運ばれている収容室と輸送方向に直角な方向に整列させられた単一の品物を輸送するように適合された収容区画が具備されている。
【０００５】
第３のコンベヤには、包装用経路の上部搬送路に沿って移動する間、輸送方向に直角な方向に作動させられる押圧手段が具備されており、かくして、押圧手段は第２のコンベヤにより運ばれる品物を第１のコンベヤ上のそれぞれの収容室に向かって移動させ、かくしてそれら品物を収容室の中に挿入させるようになっている。
【０００６】
第２の収容区画付コンベヤの収容区画は一般に、輸送方向に対して直角な方向に配置された側方壁を含んでいる。収容区画は、収容室を運ぶコンベヤに面した側とは反対の側で品物の供給を受ける。
【０００７】
この収容区画付コンベヤの基本的問題点は、搬送すべき品物の大きさに従って収容区画をいかに調整することができるか、すなわち収容区画の寸法をいかにして変えることができるかにある。
【０００８】
この目的のため、いくつかのコンベヤでは、収容区画を構成する１対の側壁のうちの少なくとも一方の側壁を、収容区画を支持する支持体に固定されている他方の壁に対して、可動なものとなっており、この可動壁をもう一方の壁に対して種々の異なる構造に移動させるようにしている。
【０００９】
例えば、収容区画支持体に案内穴を設け、このような案内穴を輸送方向に間隔をあけて複数設けておき、これらの穴の中で最も適切な位置の穴に設置されうる係合状態で可動壁を受け入れるように設計されている。しかしながらこの構造は、過大な費用と作業量を必要とし、機械を調整の度毎に停止しなければならない。
【００１０】
イタリア特許出願第ＲＭ９１Ａ００００９１号に開示されている別な、第２の装置では、コンベヤの運転中に、可動壁を適切な位置まで移動させることができる。これは、連続的に前進方向に沿って作用し収容区画本体により支持され且つ可動壁にリンクにより結合された移行手段と連動する手段により行われる。
【００１１】
第３の装置では、それぞれコンベヤの２つの輸送方向側面上に位置設定された対のチェーンと一体化されたフォーク対によって複数の収容室が構成されている。各フォーク対は、次のフォーク対から品物の幅に等しい距離の位置に設定される。
【００１２】
全てのチェーンは同じ速度で移動させられるが、一方、品物大きさに従ってコンベヤを調整するため１組のチェーンをその他の１組のチェーンに対して移動させることが可能となっており、それぞれのチェーン対に属する対のフォーク間の輸送方向の距離を所望のものとする。
【００１３】
例えば、４本のチェーンの場合、外側のチェーンの対を固定させ、一方内側チェーンの対を外側チェーンとの関係において移動させることも、或いは又その逆も可能であり、かくしてそれぞれのチェーン対に属するフォーク対の間に望ましい長手方向距離が得られることになる。
【００１４】
一方では、この構造の装置は、最少の作業段階数での調整を得ることが可能となるものの、他方では、これは製造上の複雑さ及びそれに続く実施及び維持管理の費用が高くなるという問題がある。
【００１５】
さらに、このような解決法は、包装材に向かって輸送方向に対して直角な方向に押されるのは品物でありかくして製品が包装材の開放側の縁部を打撃するのを可能性があることから、機能的な問題点をもたらす。
【００１６】
収容区画付コンベヤの場合、各収容区画は、包装材に向かって輸送方向に対して直角な方向に移行し、開放側を通って一部分がその中に挿入され、その結果収容区画が包装材の中に入ることによってその後品物が包装材の中への導入されることを容易にしている。ドイツ特許公開公報ＤＥ−Ａ−３８１５５５７は、各収容区画の１つの壁が２本のチェーンによって支持され同じ収容区画のもう一つの壁が先行する２本のチェーンと並行して配置された別の２本のチェーンによって支持されている、収容区画付コンベヤを開示している。
【００１７】
運転中、４本のチェーンは、同じ速度で駆動される。このようにしてさまざまな収容区画の壁の間に同じ距離が維持される。
【００１８】
収容区画の寸法を変更するためには、１つの壁に関連するチェーンは、望ましい収容区画寸法が得られるまでその他の２本のチェーンとの関係において移動させられる。
【００１９】
このような解決法は、製造上の複雑さ及びスペース面の複雑化の問題があるのみならず、例えばチェーンの伸長によってひき起こされる可能性ある異常が全ての収容区画に影響を及ぼすという事実の結果がもたらすであろう不都合も懸念される。
【００２０】
【発明が解決しようとする課題】
従って本発明の目的は、閉鎖ループ状経路に沿って走行しかつ各々一対の壁をもつ輸送用収容区画を具備している収容区画付コンベヤを、輸送すべき品物の大きさに従って自動調整するための装置を提供することにより、上述の欠点を回避することにある。
【００２１】
【課題を解決するための手段】
即ち、本発明の収容区画付コンベヤは、
閉鎖ループ状経路に沿って走行し、かつ各々一対の壁を含む輸送用収容区画を具備した、輸送すべき品物の大きさに従って自動的に調整される収容区画付コンベヤであって、
第１の静止壁と第２の可動壁を含み、該第２の壁は、固定されている第１の状態と、解放され前記第１の静止壁との関係において可動である第２の状態と、の２つの異なる状態のうちのいずれか一方をとることのできる輸送用手段；
前記収容区画が前記閉鎖ループ状経路の第１の区間を走行している間、該収容区画の前記第２の壁を解放し、前記収容区画が前記閉鎖ループ状経路の第２の区間を走行している間、前記第２の壁を自由な状態に保ち、次に前記収容区画が前記閉鎖ループ状経路の第３の区間に達したとき以前に解放されていた第２の壁を固定する作動手段；
前記第２の壁が前記閉鎖ループ状経路の第２の区間を走行する際、該第２の壁を前記第１の静止壁から予め設定された距離のところに設置する位置づけ手段；
前記第２の壁を前記第１の静止壁に対して接近する方向又は離れる方向に滑り移動させる案内手段；
前記第２の壁を移行させるための移行力を付与する移行手段；並びに
前記第２の壁を前記第１の静止壁に関して固定するための固定手段；
を含むことを特徴とする。
【００２２】
前記案内手段は、前記収容区画に関して中央位置に設置され、前記収容区画の搬送方向に沿って位置づけされしかも輸送用手段内に作られた溝の内側で収容区画の底面の下に位置づけされた滑り部材を含む一対の柱状継手が含まれており、この滑り部材は前記第２の壁に固定された片端を有しかくして、前記壁との関係において直角な方向に前記収容区画の底面内に設けられた穴に沿って滑動する２重「Ｔ型材」を構成していることを特徴とする。
【００２３】
前記固定手段には、
前記第２の壁に固定され且つ輸送用手段により滑動的に案内される第１のラック付き部材；
前記輸送用手段に対しピボット軸結合され前記第１のラック付き部材に対して垂直な方向に揺動可能であり、しかも、その揺動運動をひき起こすため前記作動手段と連動するように設計されたカム従動ローラーをもつ前記第１のラック付き部材と係合及び係合解除するよう適合されている歯付き部分をその片端に設けてある揺動部材；及び
前記第１のラック付き部材と係合状態にある位置まで前記揺動部材をリセットするように設計されている、前記揺動部材に対し作用するリセット用バネ；
が含まれていることを特徴とする。
【００２４】
前記移行手段には、収容区画の底面の下に位置づけされそれに枢軸結合された角度付きレバーが含まれ、この角度レバー（２８）の片端は前記第２の壁に枢軸結合されているのに対し、そのもう一方の端部は前記位置づけ用手段と連動するように設計されたカム従動ローラー（３２）を有していることを特徴とする。
【００２５】
本発明のさらなる特徴及び利点は、添付図面の図を参照しながら、制限的意味のない単なる一例として与えられているその好ましい実施態様についての以下の詳細説明から明らかになることだろう。
【００２６】
【実施例】
図２を参照すると、番号１は、収容区画付コンベヤを表わしており、その各々の収容区画２は第１の静止要素１８及び第２の要素２１で構成されている。
【００２７】
要素１８及び２１は、収容区画付コンベヤ１の搬送方向に間隔をおいて配置され、これらは、図示されていない既知の投入用手段により投入される品物６を収容するように設計された収容室５を構成する。
【００２８】
このようにして保持された品物６は、包装用経路に沿って上流側へ作業工程部Ｓ２まで搬送され、この作業工程部Ｓ２において前記コンベヤ１の収容区画２はもう１つのコンベヤ７の側面に近接した位置に移動される。
【００２９】
コンベヤ７は、その上に予め形成されている直立状の収容室８を設置すると共に、これらの収容室８を少なくとも１つの開放された側面がコンベヤ１の側に面するような状態で包装用経路に沿って搬送するための保持要素を有する。
【００３０】
作業工程部Ｓ２において、品物６は前進されている間に、番号９で示された既知の押圧手段によって収容室８の内部へ移動され、包装された品物１０を得ることができるようになっている。
【００３１】
図３，４及び６を参照すると、収容区画付コンベヤ１は、包装用経路に平行に設置され且つ横棒１２を支持しながらこれらの横棒を包装用経路に沿って前進させる一対のチェーン１１を具備し、横棒１２は搬送ブロック１３に係合すると共に、この搬送ブロック１３を滑り移動可能に支持している。
【００３２】
搬送ブロック１３は、その下端部において、カム１５と係合するように設計された旋回式アイドルカム従動ローラー１４を支持している。
【００３３】
カム１５は、搬送ブロック１３を横方向に移動させることによってその位置を決め、作業工程部Ｓ２において、更にカム１５は、搬送ブロック１３を包装用コンベヤ７に近接した位置へ移動させ、もって収容区画２は収容室８の開放側面を通してそれぞれの収容室８の中へ部分的に挿入される。この搬送ブロック１３は、その頂部近くにおいて、搬送ブロック１３に結合された第１の「Ｌ字形」要素１８及びこの要素１８に対し接近又は離隔する方向に滑べり移動可能に案内される第２の「Ｌ字形」要素２１を含む収容区画支持体１７を支持している。
【００３４】
第１の要素１８は、搬送ブロック１３に固定されている収容区画本体１７の底部壁１９及び第１の静止壁２０を含む。
【００３５】
第２の要素２１は、第２の壁２２と、収容区画本体１７の底部壁１９の上部面の上に滑べり移動可能に載っている平坦部２３を含んでいる。
【００３６】
要素１８を要素２１に連結する案内手段を示す図９及び１０を参照すると、第２の壁２２に対して一体化された前記平坦部２３の底面は、逆転「Ｔ」字形をした滑り案内要素２５に固定されている。要素２５は、底部壁１９に設けられたスロット２４の中で自由に滑べり移動することができる。（図３参照）。
【００３７】
要素２５は、底部壁１９の下部平面に付着し、或いはその非常に近くを滑動する要素であり、搬送ブロック１３に設けられた開口部２６に接合するまで、前記壁２０及び２２に対して直交する方向に延びている（図１０参照）。
【００３８】
平坦部２３及び滑べり要素２５は互いに固定されており、これらは角度付きレバー２８の端部に形成されている穴６５に回転接触するように接合するピボット軸２７を支持している。
【００３９】
角度付きレバー２８は収容区画本体１７の底部壁１９上で符号２９で示す軸を中心に旋回可能となっている。
【００４０】
角度付きレバー２８のもう１つの端部はローラー３２を支持しており、レバー２８が旋回された際、収容区画本体１７の静止壁２０と平行な関係を保ちながら第２の壁２２を移動させる。
【００４１】
すなわち、ローラー３２が搬送方向に対して横方向へ移動されることにより、第２の壁２２をこのローラー３２の動きに応じて収容区画本体１７の静止壁２０に対して平行に保ちながら移動させる。
【００４２】
図４及び５を参照すると、搬送ブロック１３は軸３３を中心に旋回可能な小さな揺動レバー３４を支持している。揺動レバー３４の上端部は、要素２５の歯部に係合し或いは係合を解除されるように設計されている歯付き部分３５を具備している。
【００４３】
この揺動レバー３４の下部は、ローラー３８を支持する旋回軸３７とリセットバネ３６を支持する。
【００４４】
従って、この歯付き部分３５が要素２５に対して押されると、該２の壁２２は収容区画本体１７に固定されると共に、搬送ブロック１３に固定される。
【００４５】
これとは反対に、歯付き部分３５が要素２５からの係合が解除された時点で、壁２２は収容区画本体１７から、したがって搬送ブロック１３に対して解放される。
【００４６】
ひき続き図３，４，５及び７を参照すると、コンベヤの構造体３９は、これに固定された支持ブロック４２を有し、この支持ブロック４２の上部に移動板４３が支持されている。
【００４７】
移動板４３は、軸継手案内部材（特に図７を参照）及び位置設定手段により搬送方向に対し横方向に滑り移動する。
【００４８】
コンベヤ１とは反対のその端部において、位置づけ板４３は、コンベヤ構造体３９上に回転可能に取り付けられたハンドル車４５にくさび留めされたネジ込み棒４４とネジ込み係合されている。
【００４９】
したがって、ハンドル車４５の回転により板４３が搬送方向に対して横方向に移動する継手構造体が得られる。
【００５０】
板４３は、その上部部分において、ピボット軸４１で旋回される板４０を支持している。
【００５１】
板４０のコンベヤ１に対向する側の面には、漏斗状の溝４６が形成されており、漏斗状の溝４６は角度付きレバー２８のローラ３２と係合するように設計された移動手段ないしカムトラック４７，４８を形成する。
【００５２】
次に、位置決め手段と移動手段との間に設けられているリンク手段について説明する。
【００５３】
支持体ブロック４２の内側には、穴４９が設けられており、この穴の中にボルト５１の頭５０が滑り移動可能ではあるが、回転できないように挿入されている。
【００５４】
ボルトの軸部５２は、板４３内に設けられた円筒形の穴の壁５３を貫通して上向きに延びており、締めつけ用ハンドル車５５の軸部５４の中にネジ込まれている。
【００５５】
この締めつけ用ハンドル車５５の軸部５４の自由端部は円錐形５６をしており、板４０に設けられた円錐形の穴５７と相互に係合し、ハンドル車５５に作用を加えることによってすき間を伴って（図５参照）又はすき間を伴わずに（図４参照）板４０と板４３の間の継手を得ることが可能となる。
【００５６】
板４０及び板４３間がピボット軸４１まわりの旋回運動可能に結合されており、且つ円錐状の部分５６と円錐形の穴５７との間で円錐形継手が形成されることにより、前記板４０は、図５に示されているように円錐形継手の部分に間隙をもって揺動可能に結合され、或いは図４に示されているように円錐形継手の部分に締めつけ係合して揺動しないように結合される。
【００５７】
支持体ブロック４２は、その下部において、搬送方向に対し横方向に設置された滑り移動可能な角柱状の棒５８を支持している。
【００５８】
コンベヤの側面側に位置する前記棒５８の自由端部は、揺動手段のローラー３８と連動するように設計されたカムプロフィル６０をもつ板５９を支持している。
【００５９】
前記棒５８のもう一方の端部はピボット軸６１を支持し、このピボット軸の上にはローラー６２が回転可能に取り付けられている。このローラー６２はドラム状のカム６３の経路６４内に係合される。ドラム状のカム６３は、同じ支持体ブロック４２によって回転可能に支持されている軸１６５上に取り付けられ、しかもその回転のためレバーのハブ部６６にくさび留めされている。
【００６０】
レバー６６を回転させることにより、板５９は搬送方向に対して横方向に進むか又は撤退し、ローラ３８に当接して軌道内に入れるか、或いはローラ３８から離れて軌道から離すようにする。
【００６１】
上述の収容区画付コンベヤにおいては、自動調整するためには、自動調整を稼働するか又は稼働しないかの選択が可能な作業工程部Ｓ１を、コンベヤ経路の１作業区分として設置する必要がある。
【００６２】
このような調整の一実施態様を、限定的な意味でなく、単なる一例として以下に記述する。
【００６３】
収容区画付コンベヤが静止しているか又は運動状態にあるとき、レバー６６を操作することによって軸１６５を回転させることで、板５９は、収容区画付コンベヤ１の方向に前向きに移動させられる。これにより、カム、すなわち前記板５９のカムプロフィル６０は、関連する支持体ブロック１３に取り付けられた揺動レバー３４のローラー３８に当接する経路に設置され、もってこのローラー３８が３つの作業用区分をとり得る状態となる（図８）。
【００６４】
この形態では、コンベヤ１がその軌道を完全に一周する間に、全ての収容区画が当該作業工程部を通過し、これにより以下の作用を受ける：
−  ローラー３８はカムプロフィル６０の第１の上昇部分に当接し、かくして揺動レバー３４は、壁２２を静止壁２０に対して固定させる第１の位置から壁２２が静止壁２０との関係において自由に移動できる第２の位置まで揺動することになる；
−  カムプロフィル６０の第２の区分はローラ３８に作用し続け、そのため、壁２２は解放された状態のままとなっており、一方ローラー３２が漏斗状の溝４６に係合しており、壁２２は角度付きレバー２８により静止壁２０から予め定められた距離のところに設定された状態となる；
−  最後に、カムプロフィル６０の第３の区分はローラ３８を介して揺動レバー３４を徐々に解放する。すなわち、この揺動レバー３４は、ばね３６の作用により、当初の位置まで揺動して戻り、この位置で壁２２が固定される結果となり、かくして新しい品物の大きさに対し充分に調整された状態となる。
【００６５】
コンベヤの一回転が完了した時点で、全ての収容区画は調整作業工程部Ｓ１の中を通過し終り、その結果その全てが新しい品物の大きさに合うように調整された状態となっている。
【００６６】
この時点で、締めつけ用ホイール５５を作用することにより、円錐形軸継手５６〜５７は、その結果としてこの軸継手内にすき間が生じて遮断され、一方レバーアーム６６を作用することにより、板５９は、そのアイドル位置に達するまで後ろへ動く（図５参照）。
【００６７】
機械の作動中であっても、カムプロフィル６０が引込んだ位置にある限りは、ローラー３８はこのカムプロフィル６０に当接しない。板４０はピボット軸４１を中心にして、円錐形軸継手５６〜５７の中に設定されたすき間により構成されたアーチ状の溝に沿って自由に揺動し、そのため、溝４６の中を走行し完全に整列していないローラー３２の可能性ある振動は、全く影響を及ぼさない。
【００６８】
その上、事故を防ぐため、板５９の作動状態又はアイドル状態を検出するように設計されたセンサー６７がレバーアーム６６の近くの位置に存在する。
【００６９】
本発明の最も大きな特徴は、壁２２が静止壁２０との関係において可動な状態にされること、品物について一定の大きさに合わせるべく可動壁２２と静止壁２０の間の距離を調整できるようにするためコンベヤ１の経路の予め設定された範囲について壁２２をこのような可動状態に保ち、最後に壁２２を搬送ブロック１３に関係して再び固定することにある。
【００７０】
添付図面の実施例では、このような調整を行なうことを可能ならしめる技術的解決法が示されている。
【００７１】
上述の実施例のものに対する変形形態としては、作業者が手で作動させることのできる間隔設定用プラグを用いて、この調整を行なうことができる。間隔設定用プラグは同様に、例えばコンベヤ１のチェーンが走行するコンベア輪の１つに対して同軸的にくさび留めされているディスク又はドラム上に取りつけることによって、コンベヤ１に設置することもできる。
【００７２】
これらの間隔設定用プラグは、収容区画の壁２２及び２０が相互に最大距離のところにある時、収容区画の壁２２及び２０の間に置かれていなくてはならない。そして、調整作業の最初の段階又は可動壁２２が静止壁２０により近づくように移動させられる時は、この可動壁２２は間隔設定用プラグによって停止される。このようにして、２つの壁２０と２２の間が予め定められた距離に設定されると、可動壁２２の固定によりその後安定化される。
【００７３】
有利なことに、可動壁を移動させるように設計された手段の間に存在する不可避的なすき間の影響を取り除くことができるようにするためにバネ手段の弾性反力に対抗して、可動壁が移動させられる。かくして、収容区画の大きさを調整する間に起こりうる異常な状況のため同じ移動手段に作用する危険な機械的応力は回避される。
【００７４】
ラック付滑り部材２５及びこれと係合する歯付き部分３５の代替案として、搬送ブロック１３に対して可動部材２５を拘束することを可能にするその他のあらゆる機械的手段を使用することが可能である。例えば、ラック付滑り部材及び歯付き部分上の歯の代わりに高摩擦材料を用いることもできる。
【００７５】
要するに、本発明は、コンベヤ１の１つの範囲に沿って、少なくとも１つの壁がもう１つの壁との関係において自由に動くことができるようになっている状況を発生させるような解決法を提案しており、これによると例えば添付図面に示されているような方法その他のあらゆる要領でこれらの壁の間の距離（大きさ）の調整が可能となる。
【００７６】
上述のことはあらゆる収容区画に関係するものであり、かくして収容区画付コンベヤを駆動するように設計された手段及び／又は調整を行なうように設計された手段に影響を及ぼすと考えられる異常な状況が全ての収容区画に対し類似の効果をもたらすわけではない、ということを強調しておかなくてはならない。
【００７７】
同様に、以上で提案してきたことは全て、冒頭で記した従来の技術に比べて本発明がもたらす全ての利点と共に、一対のチェーンを含む収容区画付コンベヤに適用できるものであるということも強調しておきたい。
【００７８】
添付の図面を参照しながら行なってきた収容区画付コンベヤの記述は、制限的意味のない単なる一例にすぎず、従って、実践により又はその使用により示唆されるか又は特許請求の範囲中に何らかの形で含まれる範囲内での変更又は修正もこのコンベヤに対し行なうことが可能である。
【図面の簡単な説明】
【図１】  調整段階中の収容区画付コンベヤの平面図である。
【図２】  作動中の収容区画付コンベヤの平面図である。
【図３】  調整作業工程部の平面図である。
【図４】  作動中の図３のIVーIV経路に沿った断面図である。
【図５】  調整段階における図のIVーIV経路沿った断面図である。
【図６】  図４のＶ−Ｖ経路に沿った断面図である。
【図７】  図４のVI−VI経路に沿った断面図である。
【図８】  作動段階にある調整作業工程部の概略的平面図である。
【図９】  搬送方向に対し前面図で表わした収容区画本体の案内の２つの構造上の詳細である。
【図１０】  図９と同じものを背面図で表わしたものである。
【符号の説明】
１…収容区画付コンベヤ
２…収容区画
６…品物
７…包装用コンベヤ
８…収容部
９…押圧手段
１０…包装材
１３…搬送ブロック
１４…カム従動ローラー
１５…カム
１７…収容区画本体
１８，２１…「Ｌ字形」要素
２０…第１の静止壁
２２…第２の可動壁
２３…平坦部
２５…ラック付き滑り要素
２７，３７…ピボット軸
２８…角度付きレバー
３２，３８…ローラー
３４…揺動レバー
３５…歯付き部分
３６…リセットバネ
３９…機械構造
４０，４３，５９…板
４５…ハンドル車
４６…漏斗状の溝
４７，４８…カムトラック
４９…穴
５６，５７…円錐形軸継手
６０…カムプロフィル
６６…レバー
【図１】
0003860229.tif 000002
【図２】
0003860229.tif 000003
【図３】
0003860229.tif 000004
【図４】
0003860229.tif 000005
【図５】
0003860229.tif 000006
【図６】
0003860229.tif 000007
【図７】
0003860229.tif 000008
【図８】
0003860229.tif 000009
【図９】
0003860229.tif 000010
【図１０】
0003860229.tif 000011